【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
宛先名称及び電子メールアドレスの対応関係を記憶する記憶手段と、
ドキュメントを送信する宛先名称を設定する設定手段と、
電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロード手段とを有し、
前記アップロードされたドキュメントは通信媒体を介してドキュメント管理サーバからプリンタにダウンロードされ印刷可能であることを特徴とする複合機能デバイス。
【請求項２】
前記アップロード手段は、前記設定された宛先名称に対応する電子メールアドレスに所定の文字列が含まれていれば、ネットワークプリンティングのためにドキュメントをドキュメント管理サーバにアップロードすることを特徴とする請求項１記載の複合機能デバイス。
【請求項３】
前記アップロード手段は、前記設定された宛先名称に対応する電子メールアドレスに携帯端末のドメイン名が含まれていれば、ネットワークプリンティングのためにドキュメントをドキュメント管理サーバにアップロードすることを特徴とする請求項２記載の複合機能デバイス。
【請求項４】
さらに、電子メールアドレス又はその一部の文字列を入力する文字列入力手段を有し、
前記アップロード手段は、前記設定された宛先名称に対応する電子メールアドレスに前記入力された文字列が含まれていれば、ネットワークプリンティングのためにドキュメントをドキュメント管理サーバにアップロードすることを特徴とする請求項２記載の複合機能デバイス。
【請求項５】
さらに、前記記憶手段に記憶される電子メールアドレス毎に、ネットワークプリンティングを利用するか否かを入力する入力手段を有し、
前記アップロード手段は、前記入力されたネットワークプリンティングの利用の有無に応じて、ネットワークプリンティングのためにドキュメントをドキュメント管理サーバにアップロードすることを特徴とする請求項１記載の複合機能デバイス。
【請求項６】
さらに、前記ドキュメントをアップロードしないときには、前記設定された宛先名称に対応する電子メールアドレスにドキュメントを送信するドキュメント送信手段を有することを特徴とする請求項１〜５のいずれか１項に記載の複合機能デバイス。
【請求項７】
さらに、前記ドキュメント管理サーバにアップロードしたドキュメントに対応する識別情報を前記ドキュメント管理サーバから受信する受信手段と、
前記設定された宛先名称に対応する電子メールアドレスに前記受信した識別情報を送信する識別情報送信手段とを有し、
前記プリンタは、前記識別情報の受信者により前記識別情報が入力されると、前記ドキュメント管理サーバから前記ドキュメントをダウンロードして印刷可能になることを特徴とする請求項１〜６のいずれか１項に記載の複合機能デバイス。
【請求項８】
さらに、前記ドキュメント管理サーバにアップロードしたドキュメントのステータスを出力待ちに設定する出力待ち設定手段と、
前記ドキュメント管理サーバが前記ドキュメントを前記プリンタに出力したか否かを前記ドキュメント管理サーバに確認要求する確認手段と、
前記ドキュメント管理サーバが前記ドキュメントを前記プリンタに出力した旨を受信すると、前記ドキュメントのステータスを出力済みに設定する出力済み設定手段とを有することを特徴とする請求項１〜７のいずれか１項に記載の複合機能デバイス。
【請求項９】
さらに、前記ドキュメント管理サーバが前記ドキュメントを所定時間内に前記プリンタに出力しないときには、前記アップロードしたドキュメントを削除するように前記ドキュメント管理サーバに要求する削除要求手段を有することを特徴とする請求項１〜８のいずれか１項に記載の複合機能デバイス。
【請求項１０】
宛先名称及び電子メールアドレスの対応関係を記憶手段に記憶する記憶ステップと、
ドキュメントを送信する宛先名称を設定する設定ステップと、
電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロードステップとを有し、
前記アップロードされたドキュメントは通信媒体を介してドキュメント管理サーバからプリンタにダウンロードされ印刷可能であることを特徴とする複合機能デバイスにおける情報処理方法。
【請求項１１】
前記アップロードステップは、前記設定された宛先名称に対応する電子メールアドレスに所定の文字列が含まれていれば、ネットワークプリンティングのためにドキュメントをドキュメント管理サーバにアップロードすることを特徴とする請求項１０記載の情報処理方法。
【請求項１２】
前記アップロードステップは、前記設定された宛先名称に対応する電子メールアドレスに携帯端末のドメイン名が含まれていれば、ネットワークプリンティングのためにドキュメントをドキュメント管理サーバにアップロードすることを特徴とする請求項１１記載の情報処理方法。
【請求項１３】
さらに、電子メールアドレス又はその一部の文字列を入力する文字列入力ステップを有し、
前記アップロードステップは、前記設定された宛先名称に対応する電子メールアドレスに前記入力された文字列が含まれていれば、ネットワークプリンティングのためにドキュメントをドキュメント管理サーバにアップロードすることを特徴とする請求項１１記載の情報処理方法。
【請求項１４】
さらに、前記記憶手段に記憶される電子メールアドレス毎に、ネットワークプリンティングを利用するか否かを入力する入力ステップを有し、
前記アップロードステップは、前記入力されたネットワークプリンティングの利用の有無に応じて、ネットワークプリンティングのためにドキュメントをドキュメント管理サーバにアップロードすることを特徴とする請求項１０記載の情報処理方法。
【請求項１５】
さらに、前記ドキュメントをアップロードしないときには、前記設定された宛先名称に対応する電子メールアドレスにドキュメントを送信するドキュメント送信ステップを有することを特徴とする請求項１０〜１４のいずれか１項に記載の情報処理方法。
【請求項１６】
さらに、前記ドキュメント管理サーバにアップロードしたドキュメントに対応する識別情報を前記ドキュメント管理サーバから受信する受信ステップと、
前記設定された宛先名称に対応する電子メールアドレスに前記受信した識別情報を送信する識別情報送信ステップとを有し、
前記プリンタは、前記識別情報の受信者により前記識別情報が入力されると、前記ドキュメント管理サーバから前記ドキュメントをダウンロードして印刷可能になることを特徴とする請求項１０〜１５のいずれか１項に記載の情報処理方法。
【請求項１７】
さらに、前記ドキュメント管理サーバにアップロードしたドキュメントのステータスを出力待ちに設定する出力待ち設定ステップと、
前記ドキュメント管理サーバが前記ドキュメントを前記プリンタに出力したか否かを前記ドキュメント管理サーバに確認要求する確認ステップと、
前記ドキュメント管理サーバが前記ドキュメントを前記プリンタに出力した旨を受信すると、前記ドキュメントのステータスを出力済みに設定する出力済み設定ステップとを有することを特徴とする請求項１０〜１６のいずれか１項に記載の情報処理方法。
【請求項１８】
さらに、前記ドキュメント管理サーバが前記ドキュメントを所定時間内に前記プリンタに出力しないときには、前記アップロードしたドキュメントを削除するように前記ドキュメント管理サーバに要求する削除要求ステップを有することを特徴とする請求項１０〜１７のいずれか１項に記載の情報処理方法。
【請求項１９】
請求項１０〜１８のいずれか１項に記載の情報処理方法の各ステップをコンピュータに実行させるためのプログラム。
【請求項２０】
宛先名称及び電子メールアドレスの対応関係を記憶する記憶手段と、
ドキュメントを送信する宛先名称を設定する設定手段と、
電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロード手段と、
前記ドキュメント管理サーバにアップロードしたドキュメントに対応する識別情報を前記ドキュメント管理サーバから受信し、前記設定された宛先名称に対応する電子メールアドレスに前記受信した識別情報を送信する識別情報送信手段とを有し、
前記アップロード手段は、前記設定された宛先名称に対応する電子メールアドレスが携帯電話の電子メールアドレスであった場合に、ネットワークプリンティングのためにドキュメントをドキュメント管理サーバにアップロードし、
前記アップロードされたドキュメントは通信媒体を介してドキュメント管理サーバからプリンタにダウンロードされ印刷可能であることを特徴とする複合機能デバイス。
【請求項２１】
宛先名称及び電子メールアドレスの対応関係を記憶する記憶ステップと、
ドキュメントを送信する宛先名称を設定する設定ステップと、
電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロードステップと、
前記ドキュメント管理サーバにアップロードしたドキュメントに対応する識別情報を前記ドキュメント管理サーバから受信し、前記設定された宛先名称に対応する電子メールアドレスに前記受信した識別情報を送信する識別情報送信ステップとを有し、
前記アップロードステップは、前記設定された宛先名称に対応する電子メールアドレスが携帯電話の電子メールアドレスであった場合に、ネットワークプリンティングのためにドキュメントをドキュメント管理サーバにアップロードし、
前記アップロードされたドキュメントは通信媒体を介してドキュメント管理サーバからプリンタにダウンロードされ印刷可能であることを特徴とする複合機能デバイスにおける情報処理方法。
【請求項２２】
複合機能デバイス、ドキュメント管理サーバ、携帯端末及びプリンタが通信媒体を介して接続されたドキュメント送信システムであって、
前記複合機能デバイスは、
ドキュメントとして画像入力を行う入力手段と、
前記携帯端末の所有者からの出力要求に応じて、ドキュメント管理サーバにアップロードされたドキュメントを出力させるネットワークプリンティングのため、前記入力手段により入力されたドキュメントをドキュメント管理サーバにアップロードするアップロード手段と、
前記ドキュメント管理サーバは、
前記複合機能デバイスからアップロードされたドキュメントを受信する受信手段と、
前記受信したドキュメントに対応する識別情報を送信する送信手段と、
前記プリンタから前記識別情報を受信すると前記ドキュメントを前記プリンタにダウンロードするダウンロード手段とを有し、
前記携帯端末は、
前記ドキュメント管理サーバにアップロードされたドキュメントに対応する識別情報を受信する受信手段を有し、
前記プリンタは、
前記携帯端末が受信した前記識別情報が入力されると、当該識別情報を前記ドキュメント管理サーバに送信する送信手段と、
前記ドキュメント管理サーバから前記ドキュメントをダウンロードにより受信して印刷処理する印刷処理手段とを有することを特徴とするドキュメント送信システム。
【手続補正２】
【補正対象書類名】明細書
【補正対象項目名】発明の名称
【補正方法】変更
【補正の内容】
【発明の名称】複合機能デバイス
【手続補正３】
【補正対象書類名】明細書
【補正対象項目名】０００９
【補正方法】変更
【補正の内容】
【０００９】
本発明の複合機能デバイスは、宛先名称及び電子メールアドレスの対応関係を記憶する記憶手段と、ドキュメントを送信する宛先名称を設定する設定手段と、電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロード手段とを有し、前記アップロードされたドキュメントは通信媒体を介してドキュメント管理サーバからプリンタにダウンロードされ印刷可能であることを特徴とする。
【手続補正４】
【補正対象書類名】明細書
【補正対象項目名】００１０
【補正方法】変更
【補正の内容】
【００１０】
また、本発明の複合機能デバイスにおける情報処理方法は、宛先名称及び電子メールアドレスの対応関係を記憶手段に記憶する記憶ステップと、ドキュメントを送信する宛先名称を設定する設定ステップと、電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロードステップとを有し、前記アップロードされたドキュメントは通信媒体を介してドキュメント管理サーバからプリンタにダウンロードされ印刷可能であることを特徴とする。
【手続補正５】
【補正対象書類名】明細書
【補正対象項目名】００１２
【補正方法】変更
【補正の内容】
【００１２】
また、本発明の複合機能デバイスは、宛先名称及び電子メールアドレスの対応関係を記憶する記憶手段と、ドキュメントを送信する宛先名称を設定する設定手段と、電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロード手段と、前記ドキュメント管理サーバにアップロードしたドキュメントに対応する識別情報を前記ドキュメント管理サーバから受信し、前記設定された宛先名称に対応する電子メールアドレスに前記受信した識別情報を送信する識別情報送信手段とを有し、前記アップロード手段は、前記設定された宛先名称に対応する電子メールアドレスが携帯電話の電子メールアドレスであった場合に、ネットワークプリンティングのためにドキュメントをドキュメント管理サーバにアップロードし、前記アップロードされたドキュメントは通信媒体を介してドキュメント管理サーバからプリンタにダウンロードされ印刷可能であることを特徴とする。
また、本発明の複合機能デバイスにおける情報処理方法は、宛先名称及び電子メールアドレスの対応関係を記憶する記憶ステップと、ドキュメントを送信する宛先名称を設定する設定ステップと、電子メールアドレスの所有者からの出力要求に応じて、ドキュメント管理サーバにアップロードされたドキュメントを出力させるネットワークプリンティングのため、前記設定された宛先名称に対応する電子メールアドレスに基づいて、前記ドキュメントをドキュメント管理サーバにアップロードするアップロードステップと、前記ドキュメント管理サーバにアップロードしたドキュメントに対応する識別情報を前記ドキュメント管理サーバから受信し、前記設定された宛先名称に対応する電子メールアドレスに前記受信した識別情報を送信する識別情報送信ステップとを有し、前記アップロードステップは、前記設定された宛先名称に対応する電子メールアドレスが携帯電話の電子メールアドレスであった場合に、ネットワークプリンティングのためにドキュメントをドキュメント管理サーバにアップロードし、前記アップロードされたドキュメントは通信媒体を介してドキュメント管理サーバからプリンタにダウンロードされ印刷可能であることを特徴とする。
また、本発明のドキュメント送信システムは、複合機能デバイス、ドキュメント管理サーバ、携帯端末及びプリンタが通信媒体を介して接続されたドキュメント送信システムであって、前記複合機能デバイスは、ドキュメントとして画像入力を行う入力手段と、前記携帯端末の所有者からの出力要求に応じて、ドキュメント管理サーバにアップロードされたドキュメントを出力させるネットワークプリンティングのため、前記入力手段により入力されたドキュメントをドキュメント管理サーバにアップロードするアップロード手段と、前記ドキュメント管理サーバは、前記複合機能デバイスからアップロードされたドキュメントを受信する受信手段と、前記受信したドキュメントに対応する識別情報を送信する送信手段と、前記プリンタから前記識別情報を受信すると前記ドキュメントを前記プリンタにダウンロードするダウンロード手段とを有し、前記携帯端末は、前記ドキュメント管理サーバにアップロードされたドキュメントに対応する識別情報を受信する受信手段を有し、前記プリンタは、前記携帯端末が受信した前記識別情報が入力されると、当該識別情報を前記ドキュメント管理サーバに送信する送信手段と、前記ドキュメント管理サーバから前記ドキュメントをダウンロードにより受信して印刷処理する印刷処理手段とを有することを特徴とする。